(57)【要約】      （修正有）【課題】ストライプ編地で、模様間に渡糸発生を低減する方法の提供。【解決手段】筒状編地の編幅の両端を起点に、第１の給糸口に第１の起点を、第２の給糸口に第２の起点を割り当て、第１の給糸口からの編糸により第１の針床を用いて、第１の起点から第１の折り返し点で折り返し、往復編成し、第２の針床を用いて、第１の起点から第２の折り返し点で折り返して、往復編成し、第２の給糸口からの編糸により、第２の針床を用いて、第２の起点から第２の折り返し点で折り返して、第２の起点まで戻るように往復編成し、第１の針床を用いて、第２の起点から第１の折り返し点で折り返して、第２の起点まで戻るように往復編成し、第１の折り返し点と第２の折り返し点とを逆方向で一方向にシフトさせることを繰返し、第１の給糸口と第２の給糸口への起点の割当てを切換え、第１の給糸口の編糸の編地と、第２の給糸口の編糸の編地とを周回編成する方法。【選択図】図２
2015193939.tif 000002
【特許請求の範囲】
【請求項１】
少なくとも前後一対の針床と、少なくとも２個の給糸口と、針床の針を操作し給糸口からの編糸により編成するキャリッジとを備える横編機により、ストライプの筒状編地を編成する方法において、
a:  筒状編地の編幅の両端を起点として、第１の給糸口には第１の起点を、第２の給糸口には第２の起点を割り当て、
b:  第１の給糸口からの編糸により、第１の針床を用いて、第１の起点から針床の途中の第１の折り返し点で折り返して、第１の起点まで戻るように往復編成するステップと、
b':  第１の給糸口からの編糸により、第２の針床を用いて、第１の起点から針床の途中の第２の折り返し点で折り返して、第１の起点まで戻るように往復編成するステップと、
c:  第２の給糸口からの編糸により、前記第２の針床を用いて、第２の起点から第２の折り返し点で折り返して、第２の起点まで戻るように往復編成するステップと、
c':  第２の給糸口からの編糸により、前記第１の針床を用いて、第２の起点から第１の折り返し点で折り返して、第２の起点まで戻るように往復編成するステップと、
d:  ステップb,b',c,c'を行うことと、第１の折り返し点と第２の折り返し点とを逆方向にかつ一方向にシフトさせることとを繰り返すステップと、
e:  第１の給糸口と第２の給糸口への起点の割り当てを切り換えるステップ、
とを行い、かつ
f:  ステップd,eを繰り返して、第１の給糸口の編糸による編地と、第２の給糸口の編糸による編地とが螺旋状に周回する筒状編地を編成する、
ことを特徴とする、ストライプの筒状編地の編成方法。
【請求項２】
第１の起点から第１の折り返し点までの編幅と、第１の起点から第２の折り返し点までの編幅との和を、筒状編地の編幅と等しくすることを特徴とする、請求項１のストライプの筒状編地の編成方法。
【請求項３】
ステップdで、第１の折り返し点と第２の折り返し点とを、逆向きに同じ編幅ずつシフトさせることを特徴とする、請求項１または２のストライプの筒状編地の編成方法。
【発明の詳細な説明】
【技術分野】
【０００１】
この発明はストライプの筒状編地の編成方法に関し、特にストライプとストライプとの間の渡糸を少なくできる編成方法に関する。
【背景技術】
【０００２】
ストライプ柄の編地を筒状に編成すると、ストライプとストライプとを結ぶ渡糸が発生する。このため編成後に渡糸の始末が必要になる。特許文献１（WO2005/014902）は、渡糸の始末を不要にする編成方法を開示している。特許文献１では、各色の帯状の編地から成るストライプをＣ字状に編成し、Ｃ字の折り返し部を接続して閉じる。そしてストライプ間を渡る渡糸を複数本折り返し部に沿って配置し、かつ渡糸を互いに交差させて編地に固定する。このようにすると、渡糸は筒状編地の内部に固定され、渡糸の始末が不要になる。
【０００３】
特許文献２（特開2008-27485）は、インターシャ編成と筒状編地の回し込みとにより、螺旋状のストライプのある筒状編地を編成することを開示している。各給糸口により編成する範囲を、針床に対して固定する。そしてインターシャ編成しながら、筒状編地を横編機の針床上で回し込む。例えば編地の編成の間に、編地を１周分回し込むと、インターシャのストライプが編地を１周する。編地を何周も回し込むことは難しいので、実用上は、急な傾斜のストライプしか得られない。また編地を回し込むため、編成に時間を要する。
【先行技術文献】
【特許文献】
【０００４】
【特許文献１】WO2005/014902
【特許文献２】特開2008-27485
【発明の概要】
【発明が解決しようとする課題】
【０００５】
この発明の課題は、ストライプ間を接続する渡糸を少なくできる編成方法を提供することにある。
【課題を解決するための手段】
【０００６】
この発明では、少なくとも前後一対の針床と、少なくとも２個の給糸口と、針床の針を操作し給糸口からの編糸により編成するキャリッジとを備える横編機により、ストライプの筒状編地を編成する。
【０００７】
この発明では、
a:  筒状編地の編幅の両端を起点として、第１の給糸口には第１の起点を、第２の給糸口には第２の起点を割り当て、
b:  第１の給糸口からの編糸により、第１の針床を用いて、第１の起点から針床の途中の第１の折り返し点で折り返して、第１の起点まで戻るように往復編成し、
b':  第１の給糸口からの編糸により、第２の針床を用いて、第１の起点から針床の途中の第２の折り返し点で折り返して、第１の起点まで戻るように往復編成し、
c:  第２の給糸口からの編糸により、前記第２の針床を用いて、第２の起点から第２の折り返し点で折り返して、第２の起点まで戻るように往復編成し、かつ
c':  第２の給糸口からの編糸により、前記第１の針床を用いて、第２の起点から第１の折り返し点で折り返して、第２の起点まで戻るように往復編成する。
【０００８】
さらにこの発明では、
d:  b,b',c,c'を行うことと、第１の折り返し点と第２の折り返し点とを逆方向にかつ一方向にシフトさせることとを繰り返す。そして例えばb,b',c,c'を各１回行う毎に、折り返し点をシフトさせる。
e:  第１の給糸口と第２の給糸口への起点の割り当てを切り換え、かつ
f:  d,eを繰り返して、第１の給糸口の編糸による編地と、第２の給糸口の編糸による編地とが螺旋状に周回する筒状編地を編成する。
【０００９】
なおb,b',c,c'を例えば１回ずつ行って、dを実行する。そしてb,b',c,c'の順序は任意である。例えばbの次にb'、cの次にc'を実行するが、bの次にc、次いでb',最後にc'のような順序も可能である。ここでb,b',c,c'を例えば２回ずつ行う毎にdを実行しても良いが、ストライプの傾斜が急になり、また折り返し点での段差が大きくなる。
【００１０】
この発明ではストライプの編地が筒状編地を螺旋状に周回するように編成できる。そして２色のストライプの場合、言い換えると２個の給糸口を用いる場合、渡糸が発生しない。なお糸の始末が必要になることをいとわなければ、途中から第１の給糸口に換えて、第３の給糸口を用いる等により、３色以上にすることも可能である。
【００１１】
好ましくは、第１の起点から第１の折り返し点までの編幅と、第１の起点から第２の折り返し点までの編幅との和を、筒状編地の編幅と等しくする。このようにすると第２の起点から第１の折り返し点までの編幅と、第２の起点から第２の折り返し点までの編幅との和も筒状編地の編幅と等しくなる。そして第１の給糸口による編地（第１のストライプ）と、第２の給糸口による編地（第２のストライプ）は、編幅が筒状編地の編幅に等しくなり、２種類の編地が各々筒状編地の半周分を構成する。
【００１２】
dで、第１の折り返し点と第２の折り返し点とを、逆向きに同じ編幅ずつシフトさせる。このようにすると、第１のストライプと第２のストライプは、一定の傾斜で螺旋状に周回する。
【図面の簡単な説明】
【００１３】
【図１】実施例で用いる横編機の平面図
【図２】実施例で編成するストライプの筒状編地を展開して示す図
【図３】実施例の編成方法を編目数を減らして模式的に示す図
【図４】前後の針床での編成手順を示す図
【発明を実施するための形態】
【００１４】
以下に、発明を実施するための最適実施例を示す。
【実施例】
【００１５】
図１〜図４に、実施例のストライプの筒状編地の編成方法を示す。図１は用いる横編機２を示し、４は前針床、６は後針床、８はキャリッジ、１０はコントローラである。ストライプの筒状編地の編成には少なくとも２個の給糸口Ａ，Ｂを用い、２種類の編糸を用いて編成する。なお４枚の針床を備える横編機、あるいは前後一対の針床に加えて、トランスファージャックベッドを備える横編機等を用いても良い。筒状編地は前後の針床４，６を用い、筒状に編成する。
【００１６】
図２は、実施例で編成するストライプの筒状編地２０を、展開して示す。２２，２４は螺旋状でかつ帯状の編地から成るストライプで、ストライプ２２，２４が交互に表れて、全体として筒状の編地２０となる。ストライプ２２は給糸口Ａの編糸で、ストライプ２４は給糸口Ｂの編糸で編成する。２８，３０は筒状編地２０の両端にある起点で、筒状編地２０を展開して示すので、３０，３０は同じ場所である。起点２８，３０を筒状編地の両端部に設けると、筒状編地の編成で前後の針床の境界に対応する位置に起点２８，３０が位置することになる。すると給糸口の前後関係による、渡糸の交差を防ぐことができる。そして図２にＦで示した領域は前針床４で編成し、Ｒで示した領域は後針床６で編成する。さらに編成の途中で編目の増やし及び減らしにより、編幅（起点２８−３０間の間隔）を変更できる。
【００１７】
図２の下部に、筒状編地２０の領域３２を拡大して示す。３４はストライプ２４のコース、即ち編目の列で、２コース毎にストライプの高さが変化し、この間隔をピッチｐとする。またストライプの高さが変化する場所で、２目の編目の１目をタック目等とし、２目分の段差が１目の段差程度に見えて、段差が目立たないようにする。なお接合個所では、タックに代えて割り増やし等を用いても良い。ストライプ２２も構造は同じである。
【００１８】
ストライプ２２，２４の傾斜は、ピッチｐを短くすると増し、太い編糸等を用いて編目を大きくすると増す。ピッチｐを長くすると傾斜が小さくなり、また細い編糸等を用いて編目を小さくすると、傾斜は小さくなる。さらに筒状編地２０では、コース方向（図２の左右方向）に沿っての編幅は、例えばストライプ２２もストライプ２４も同じにし、給糸口Ａによる編幅と給糸口Ｂによる編幅を等しくしても良い。ただし給糸口Ａによる編幅と給糸口Ｂによる編幅を異ならせても良い。
【００１９】
起点２８，３０は、給糸口Ａ，Ｂが半周回等の編成を行う上で、一旦戻る位置である。例えば筒状編地２０の下端で、給糸口Ａの起点は２８，給糸口Ｂの起点は３０である。給糸口Ａによる編成は最初前針床４で行われ、徐々に後針床６での編成長（編幅）が増して、前針床４での編成長が減少する。給糸口Ｂによる編成長はこの逆になる。ウェール方向に沿って例えば所定のピッチで切換位置２６があり、起点２８，３０を給糸口Ａ，Ｂ間で切り換える。最初の切換位置２６ａに達した時点で、給糸口Ａの編糸は主として後針床６で編成され、給糸口Ｂの編糸は主として前針床４で編成されるようになっている。そして切換位置２６ａで、給糸口Ａの起点を３０に、給糸口Ｂの起点を２８に切り換える。以降も切換位置２６毎に、給糸口Ａ，Ｂの起点２８，３０を切り換え、２回の切換位置２６，２６を１周期として、ストライプ２２，２４の配置、及び給糸口Ａ，Ｂへの起点２８，３０の割り当て等が変化する。
【００２０】
図３，図４に、筒状編地２０の編成方法を示す。Ｆは前針床４を、Ｒは後針床６を示し、図３，図４の下から上への順序で編成する。図３，図４では、給糸口Ａの起点は２８から始まり、給糸口Ａの起点は３０から始まるように示す。
【００２１】
図３の1)で給糸口Ａにより前針床で編成し、2)で給糸口Ｂにより後針床で編成し、給糸口Ａ，Ｂは起点２８，３０に置かれている。また給糸口Ａ，Ｂは１ステップで針床４，６上を往復し、起点２８，３０から出発して針床の途中から起点２８，３０に戻り、再度針床の途中まで前進して、起点２８，３０に戻る。このようにして給糸口Ａ，Ｂは、１ステップ毎に、前針床４で２コース（１往復）、後針床６でも２コース（１往復）編成する。給糸口Ａ，Ｂ毎の、前針床４での編幅と後針床６での編幅の和は、例えば編地全体の編幅と等しいが、編地全体の編幅と異なっていても良い。そうすることにより、非直線的なストライプの表現が可能になる。さらに給糸口Ａ，Ｂが針床の途中から折り返して起点へ復帰する際に、１目前の編目にタックによる掛目等を形成する。なおスムース編みで各コースを編成すると、細いストライプを編成できる。また給糸口Ａによる編地と給糸口Ｂによる編地との境界（段差の部分）は、タック等により互いに接続されている。
【００２２】
図３の3)では、給糸口Ｂにより前針床と後針床とで編成し、図３の5)では前針床の編成長（編幅）を3)よりも増し、後針床の編成長を3)よりも短くする。なお後針床と前針床での合計の編成長は、筒状編地の編幅と等しく保たれる。図３の4)では、給糸口Ａにより前針床と後針床とで編成し、図３の6)では前針床の編成長を4)よりも短くし、後針床の編成長を4)よりも長くし、同様に後針床と前針床での合計の編成長を筒状編地の編幅に保つ。この手順を繰り返すと、給糸口Ａは主として後針床で編成し、給糸口Ｂは主として前針床で編成するようになる。続いて、各々の給糸口を起点に戻さずに、片側の針床のみによる編成を行うことにより、給糸口Ａ，Ｂの起点を変更する。
【００２３】
図４は、筒状編地２０の編成の詳細を示し、実線は給糸口Ｂによる編成を、破線は給糸口Ａによる編成を示し、矢印は編成の向きを示す。給糸口Ａに関して、４０は第１の折り返し点、４１は第２の折り返し点で、給糸口Ｂに関して、４２は第２の折り返し点、４３は第１の折り返し点である。折り返し点４０、４３は図４の1)〜9)では右方向に移動して、起点を切り換えると左方向へ移動する。折り返し点４１、４２は図４の1)〜9)では左方向に移動して、起点を切り換えると右方向へ移動する。このようにして、第１の折り返し点４０，４３と第２の折り返し点４１，４２とを逆方向にかつ一方向にシフトさせる。
【００２４】
前針床でも後針床でも、給糸口Ａに割り当てられた編幅と給糸口Ｂに割り当てられた編幅との和が、全体の編幅に等しい。図４の1)〜9)は図３の編成を起点の切り換え直前まで示し、給糸口Ａ，Ｂが針床上で折り返す際に、タック、割り増やし等を行う。図４の10)は起点の切換を示す。起点２８，３０の切り換えでは、給糸口Ｂにより起点３０から起点２８へ１コース編成し、給糸口Ａにより起点２８から起点３０へ１コース編成する。次の11)の状態は、1)の状態に対して給糸口Ａ，Ｂの配置を逆にしたもので、２回の起点の切換で、給糸口Ａ，Ｂの配置等は１周期分変化する。以上のように編成すると、ストライプは編地の基端から終端まで螺旋状に連続し、渡糸が発生しない。
【００２５】
実施例で例えば２色のストライプの編地を筒状編成すると、給糸口の折り返しによる段差が見える。また増目、減らし目等により、筒状編地の編幅が変更されている。実施例の筒状編地はスカート、ワンピースドレス等に適している。
【符号の説明】
【００２６】
２          横編機
４，６      針床
８          キャリッジ
Ａ，Ｂ      給糸口
１０        コントローラ
２０        筒状編地
２２，２４  ストライプ
２６        切換位置
２８，３０  起点
３２        部分
３４        コース
４０，４３  第１の折り返し点
４１，４２  第２の折り返し点
【図１】
2015193939.tif 000003
【図２】
2015193939.tif 000004
【図３】
2015193939.tif 000005
【図４】
2015193939.tif 000006